(57)【要約】【課題】光ピックアップ装置において、傾斜を持つ光ディスクの記録／再生時に発生するスキューを簡単に軽減し、読み取り性能を向上する。【解決手段】光ピックアップ装置１は、対物レンズ３を保持するレンズホルダ２と、レンズホルダ２に一端を固定され、光ディスク１０と略平行な方向に伸びたレンズホルダ２の外周側面２ａと内周側面２ｂに固定される有効長が長い外周側ワイヤ４ａ及び短い内周側ワイヤ４ｂと、ワイヤ４ａ、４ｂの他端を支持してレンズホルダ２を片持ち支持するサスペンションホルダ５と、レンズホルダ２をフォーカス方向及びトラッキング方向に駆動する磁気回路６とを備える。これにより、対物レンズ３をフォーカス方向に動作させたときに、対物レンズ３にＤＣチルトを発生させ、光ディスク１０のチルト補正を簡単に行え、スキューを軽減できるのでジッタ等を低減でき、読み取り性能を向上することができる。【選択図】図２
2008084431.tif 000002
【特許請求の範囲】
【請求項１】
光ディスクの信号記録面と対面した位置に対物レンズを保持するレンズホルダと、
前記レンズホルダに一端を固定されると共に、前記光ディスクと略平行な方向に伸びたサスペンションワイヤ（以下、ワイヤという）と、
前記ワイヤの他端を支持することにより、レンズホルダを片持ち支持するサスペンションホルダと、
前記レンズホルダをフォーカス方向及びトラッキング方向に駆動する磁気回路と、
を備えた光ピックアップ装置において、
前記ワイヤは、前記光ディスクの半径方向において前記レンズホルダの外周側面と内周側面にそれぞれ固定される有効長が互いに異なる外周側ワイヤと内周側ワイヤとを有し、
前記外周側ワイヤの有効長は、前記内周側ワイヤのそれよりも長く、前記外周側ワイヤの前記レンズホルダへの固定端は、前記サスペンションホルダから遠い位置とされ、前記内周側ワイヤの前記レンズホルダへの固定端は、前記サスペンションホルダから近い位置とされ、
前記対物レンズをフォーカス方向に動作させたときに、この対物レンズに前記光ディスクの半径方向に対して所定のＤＣチルトを発生させることを特徴とする光ピックアップ装置。
【請求項２】
光ディスクの信号記録面と対面した位置に対物レンズを保持するレンズホルダと、
前記レンズホルダに一端を固定されると共に、前記光ディスクと略平行な方向に伸びたサスペンションワイヤ（以下、ワイヤという）と、
前記ワイヤの他端を支持することにより、レンズホルダを片持ち支持するサスペンションホルダと、
前記レンズホルダをフォーカス方向及びトラッキング方向に駆動する磁気回路と、
を備えた光ピックアップ装置において、
前記ワイヤは、前記光ディスクの半径方向において前記レンズホルダの外周側面と内周側面にそれぞれ固定される外周側ワイヤと内周側ワイヤとを有し、
前記外周側ワイヤと内周側ワイヤとの長さを異ならせ、前記対物レンズをフォーカス方向に動作させたときに、この対物レンズに前記光ディスクの半径方向に対して所定のＤＣチルトを発生させることを特徴とする光ピックアップ装置。
【請求項３】
前記外周側ワイヤの前記レンズホルダへの固定端は、前記サスペンションホルダから遠い位置とされ、前記内周側ワイヤの前記レンズホルダへの固定端は、前記サスペンションホルダから近い位置とされていることを特徴とする請求項２に記載の光ピックアップ装置。
【請求項４】
光ディスクの信号記録面と対面した位置に対物レンズを保持するレンズホルダと、
前記レンズホルダに一端を固定されると共に、前記光ディスクと略平行な方向に伸びたサスペンションワイヤ（以下、ワイヤという）と、
前記ワイヤの他端を支持することにより、レンズホルダを片持ち支持するサスペンションホルダと、
前記レンズホルダをフォーカス方向及びトラッキング方向に駆動する磁気回路と、
を備えた光ピックアップ装置において、
前記ワイヤは、前記光ディスクの半径方向において前記レンズホルダの外周側面と内周側面にそれぞれ固定される有効長が互いに略等しい外周側ワイヤと内周側ワイヤとを有し、
前記外周側ワイヤの前記レンズホルダへの固定端と前記内周側ワイヤの前記レンズホルダへの固定端は、前記サスペンションホルダから略等距離の位置とされ、
前記外周側ワイヤと前記内周側ワイヤとを異なる材質で形成すると共に、前記外周側ワイヤの硬さを前記内周側ワイヤのそれより軟らかくし、
前記対物レンズをフォーカス方向に移動させたときに、この対物レンズに前記光ディスクの半径方向に対して所定のＤＣチルトを発生させることを特徴とする光ピックアップ装置。
【請求項５】
光ディスクの信号記録面と対面した位置に対物レンズを保持するレンズホルダと、
前記レンズホルダに一端を固定されると共に、前記光ディスクと略平行な方向に伸びたサスペンションワイヤ（以下、ワイヤという）と、
前記ワイヤの他端を支持することにより、レンズホルダを片持ち支持するサスペンションホルダと、
前記レンズホルダをフォーカス方向及びトラッキング方向に駆動する磁気回路と、
を備えた光ピックアップ装置において、
前記ワイヤは、前記光ディスクの半径方向において前記レンズホルダの外周側面と内周側面にそれぞれ固定される外周側ワイヤと内周側ワイヤとを有し、
前記外周側ワイヤと内周側ワイヤとの材質を異ならせ、前記対物レンズをフォーカス方向に動作させたときに、この対物レンズに前記光ディスクの半径方向に対して所定のＤＣチルトを発生させることを特徴とする光ピックアップ装置。
【請求項６】
前記外周側ワイヤの前記レンズホルダへの固定端と前記内周側ワイヤの前記レンズホルダへの固定端は、前記サスペンションホルダから略等距離の位置とされていることを特徴とする請求項５に記載の光ピックアップ装置。
【発明の詳細な説明】
【技術分野】
【０００１】
本発明は、光ディスクドライブ装置に搭載される光ピックアップ装置に関し、特に光ディスクの反りに対するチルト補正機能を有する光ピックアップ装置。
【背景技術】
【０００２】
従来、ＤＶＤ（Ｄｉｇｉｔａｌ  Ｖｅｒｓａｔｉｌｅ  Ｄｉｓｃ）等の光ディスクは、光ディスクドライブ装置内に移動自在に設けた光ピックアップ装置により光ディスクの記録トラックを高速にアクセスできることから記録メディアとして多用されている。このような光ピックアップ装置は、光ディスクに光ビームを照射する対物レンズを記録トラックに対して光軸方向及び径方向にそれぞれフオーカス制御及びトラッキング制御している。
【０００３】
このような光ピックアップ装置におけるフォーカス動作においては、光ディスクの信号記録面に光スポットを追従させるため、対物レンズは、通常、光ディスクに傾斜がないものとして信号記録面に対して略直角に移動する。このため、光ディスクに傾斜（チルト）をもたらす反り（面ブレという）があるとディスクの信号記録面と対物レンズの中心軸に直交する面とが平行とならない傾き（チルト）、即ち光ピックアップ装置側から見た光ディスク面との傾斜（スキューという）が発生する。このため、例えば、最外周にて面ブレが±０．５ｍｍ発生した場合は、発生する半径方向のスキュー（Ｒａスキューという）は約±２５ｍｉｎ（分）となる。また、図９（ａ）に示すように、光ディスク１０１に面ブレのない正常状態Ｂの場合は、光ディスク１０１の信号記録面と対物レンズ１００の中心軸とは略直角になるが、光ディスク１０１の外周側が高くなる面ブレ状態Ａ、及び光ディスク１０１の外周側が低くなる面ブレ状態Ｃの場合では、対物レンズ１００と光ディスク１０１の間にチルト（又はスキュー）が発生する。
【０００４】
上記各状態Ａ、Ｂ、Ｃにおけるディスクチルト（θ１）、レンズチルト（θ２）、及びそれらの相対チルトを表１に示す。
【０００５】
【表１】
2008084431.tif 000003
ディスクチルトは、その傾斜角θが状態Ｂの０ｍｉｎ（分）に対して、状態Ａ及び状態Ｃでは、それぞれ−２０ｍｉｎ、＋２０ｍｉｎの角度を持つ。従って、対物レンズ１００にチルトがない場合は、ディスクチルトがそのままＲａスキューとなり、状態Ａ、Ｂ及びＣでは、Ｒａスキューは、それぞれ−２０ｍｉｎ、０ｍｉｎ、＋２０ｍｉｎとなる。このために光スポットが円形にならずに楕円形に広がることになり、記録済みの信号記録面から情報信号を確実に読み取ることができず、また、未記録の信号記録面に情報信号を確実に記録することができないことがある。さらに、対物レンズ自身のチルト特性にバラツキ（例えば、±２０ｍｉｎ）が存在すると、図９（ｂ）に示すように、状態Ａ及び状態Ｃにおいては、面ブレの傾きと対物レンズの傾きが互いに反対方向になる最悪の場合は、チルトのずれが最大となり、ディスクチルト（θ１）の±２０ｍｉｎのずれにレンズチルトの±２０ｍｉｎが加わって、相対チルトは最大±４０ｍｉｎのずれとなる。このため、ますます光スポットが円形からずれることになり、さらにジッタが悪化し、読み取り不可能となることがある。
【０００６】
ところで、特許文献１に示されるように、光ディスクの反りに対して、対物レンズを保持するレンズホルダと、このレンズホルダを支持するサスペンションワイヤ（以下、ワイヤという）と、このワイヤの他端を支持するワイヤホルダと、レンズホルダをフォーカス方向とトラッキング方向に駆動する磁気回路とを備え、ワイヤを長手方向に駆動させて、チルト補正を行う対物レンズ補正装置が知られている。しかしながら、この装置においては、光ディスクの信号記録面に対する対物レンズ光軸のチルト補正において、ワイヤを長手方向に駆動させるためのチルト補正機構を付加するために、別途マグネットとコイル、駆動電源等を必要とし、構成が複雑でコスト高となる。
【０００７】
また、特許文献２に示されるように、レンズホルダとサスペンションベースにおける光ディスクの外周側と内周側のそれぞれ上下に設けられた４つのワイヤ支持部を備え、４箇所のワイヤ支持部上下間隔のうち少なくとも１箇所以上のワイヤ支持部の上下間隔の値を他と異なる値に設定すると共に、少なくとも１本のワイヤを他に対して非平行に支持した光学ピックアップ装置が知られている。しかしながら、この装置では、４箇所のワイヤ支持部の配置を非対称に、また４本のワイヤのうち、１本を非平行にするなど、ワイヤの配置が複雑化して製作し難い。
【０００８】
また、特許文献３に示されるように、トラッキング駆動方向に沿ってレンズ保持体を挟んで２列以上配置された弾性支持体を備え、これら弾性支持体のレンズから遠い方向が他の列にあるものより駆動方向に曲がり難くなるように形成されたレンズ駆動装置が知られている。
【０００９】
また、特許文献４に示されるように、対物レンズを保持するレンズホルダの両側に３本のワイヤを設け、光ディスクに最も近い上ワイヤと最も遠い下ワイヤとの両者間に設けた中ワイヤのうち、少なくとも１つのワイヤのバネ定数を異ならせた対物レンズ駆動装置が知られている。
【００１０】
しかしながら、上記特許文献３及び特許文献４に示された装置では、いずれも対物レンズをフォーカス方向に動作させたときに、対物レンズを傾斜させるようなＤＣチルトを発生しないため、光ディスクの面ブレを補正することはできない。
【特許文献１】特開２００４−１７８７７５号公報
【特許文献２】特開２００３−３０８６２１号公報
【特許文献３】特開２００５−１０７１４５号公報
【特許文献４】特開２００５−１８８３７号公報
【発明の開示】
【発明が解決しようとする課題】
【００１１】
本発明は、上記の問題を解決するためになされたものであり、傾きを持つ光ディスクの録画／再生において、光ディスクと対物レンズとの間のスキューを容易に軽減し、読み取り性能を向上できる光ピックアップ装置を提供することを目的とする。
【課題を解決するための手段】
【００１２】
上記目的を達成するために請求項１の発明は、光ディスクの信号記録面と対面した位置に対物レンズを保持するレンズホルダと、前記レンズホルダに一端を固定されると共に、前記光ディスクと略平行な方向に伸びたサスペンションワイヤ（以下、ワイヤという）と、前記ワイヤの他端を支持することにより、レンズホルダを片持ち支持するサスペンションホルダと、前記レンズホルダをフォーカス方向及びトラッキング方向に駆動する磁気回路と、を備えた光ピックアップ装置において、前記ワイヤは、前記光ディスクの半径方向において前記レンズホルダの外周側面と内周側面にそれぞれ固定される有効長が互いに異なる外周側ワイヤと内周側ワイヤとを有し、前記外周側ワイヤの有効長は、前記内周側ワイヤのそれよりも長く、前記外周側ワイヤの前記レンズホルダへの固定端は、前記サスペンションホルダから遠い位置とされ、前記内周側ワイヤの前記レンズホルダへの固定端は、前記サスペンションホルダから近い位置とされ、前記対物レンズをフォーカス方向に動作させたときに、この対物レンズに前記光ディスクの半径方向に対して所定のＤＣチルトを発生させるものである。
【００１３】
請求項２の発明は、光ディスクの信号記録面と対面した位置に対物レンズを保持するレンズホルダと、前記レンズホルダに一端を固定されると共に、前記光ディスクと略平行な方向に伸びたサスペンションワイヤ（以下、ワイヤという）と、前記ワイヤの他端を支持することにより、レンズホルダを片持ち支持するサスペンションホルダと、前記レンズホルダをフォーカス方向及びトラッキング方向に駆動する磁気回路と、を備えた光ピックアップ装置において、前記ワイヤは、前記光ディスクの半径方向において前記レンズホルダの外周側面と内周側面にそれぞれ固定される外周側ワイヤと内周側ワイヤとを有し、前記外周側ワイヤと内周側ワイヤとの長さを異ならせ、前記対物レンズをフォーカス方向に動作させたときに、この対物レンズに前記光ディスクの半径方向に対して所定のＤＣチルトを発生させるものである。
【００１４】
請求項３の発明は、請求項２に記載の光ピックアップ装置において、前記外周側ワイヤの前記レンズホルダへの固定端は、前記サスペンションホルダから遠い位置とされ、前記内周側ワイヤの前記レンズホルダへの固定端は、前記サスペンションホルダから近い位置とされているものである。
【００１５】
請求項４の発明は、光ディスクの信号記録面と対面した位置に対物レンズを保持するレンズホルダと、前記レンズホルダに一端を固定されると共に、前記光ディスクと略平行な方向に伸びたサスペンションワイヤ（以下、ワイヤという）と、前記ワイヤの他端を支持することにより、レンズホルダを片持ち支持するサスペンションホルダと、前記レンズホルダをフォーカス方向及びトラッキング方向に駆動する磁気回路と、を備えた光ピックアップ装置において、前記ワイヤは、前記光ディスクの半径方向において前記レンズホルダの外周側面と内周側面にそれぞれ固定される有効長が互いに略等しい外周側ワイヤと内周側ワイヤとを有し、前記外周側ワイヤの前記レンズホルダへの固定端と前記内周側ワイヤの前記レンズホルダへの固定端は、前記サスペンションホルダから略等距離の位置とされ、前記外周側ワイヤと前記内周側ワイヤとを異なる材質で形成すると共に、前記外周側ワイヤの硬さを前記内周側ワイヤのそれより軟らかくし、前記対物レンズをフォーカス方向に移動させたときに、この対物レンズに前記光ディスクの半径方向に対して所定のＤＣチルトを発生させるものである。
【００１６】
請求項５の発明は、光ディスクの信号記録面と対面した位置に対物レンズを保持するレンズホルダと、前記レンズホルダに一端を固定されると共に、前記光ディスクと略平行な方向に伸びたサスペンションワイヤ（以下、ワイヤという）と、前記ワイヤの他端を支持することにより、レンズホルダを片持ち支持するサスペンションホルダと、前記レンズホルダをフォーカス方向及びトラッキング方向に駆動する磁気回路と、を備えた光ピックアップ装置において、前記ワイヤは、前記光ディスクの半径方向において前記レンズホルダの外周側面と内周側面にそれぞれ固定される外周側ワイヤと内周側ワイヤとを有し、前記外周側ワイヤと内周側ワイヤとの材質を異ならせ、前記対物レンズをフォーカス方向に動作させたときに、この対物レンズに前記光ディスクの半径方向に対して所定のＤＣチルトを発生させるものである。
【００１７】
請求項６の発明は、請求項５に記載の光ピックアップ装置において、前記外周側ワイヤの前記レンズホルダへの固定端と前記内周側ワイヤの前記レンズホルダへの固定端は、前記サスペンションホルダから略等距離の位置とされているものである。
【発明の効果】
【００１８】
請求項１の発明によれば、対物レンズのフォーカス方向へ動作させたときに、外周側ワイヤを内周側ワイヤよりその長さを大きく変動させることができるので、対物レンズに光ディスクの半径方向に所定のＤＣチルトを外周側で大きくなるように発生させることができる。これにより、光ディスクが半径方向の外周側で傾き（チルト）を持つ場合に、フォーカス移動に連動して、この傾斜に合わすように対物レンズのＤＣチルトを簡単な構成で発生することができ、スキューを軽減して光ディスクのチルト補正を容易に行うことができる。この結果、対物レンズからのレーザ光を常に光ディスクの信号記録面に略垂直に照射することができるので、ジッタを低減し、読み取り性能を向上させ、良好な画像を再生することが可能となる。
【００１９】
請求項２の発明によれば、対物レンズをフォーカス方向への動作させたときに、このフォーカス移動に追従して対物レンズに所定のＤＣチルトを発生せることができるので、光ディスクの傾きに合わせて対物レンズのＤＣチルトの大きさを変えることにより、スキューを軽減して光ディスクの半径方向の傾斜に対するチルト補正を可能にする。
【００２０】
請求項３の発明によれば、外周側ワイヤを内周側ワイヤより長くできるので、対物レンズをフォーカス方向へ動作させたときに、外周側ワイヤの伸びを大きくでき、対物レンズに所定のＤＣチルトを外周側で大きく発生させることができ、外周側に傾斜を持つ光ディスクのチルト補正を確実に行うことができる。
【００２１】
請求項４の発明によれば、対物レンズのフォーカス方向への動作させたときに、ワイヤのサイズ変更無しに、フォーカス動作に連動して対物レンズに外周側で大きくなる所定のＤＣチルトを発生させることができるので、光ディスクが半径方向の外周側で傾き（チルト）を持つ場合に、簡単にスキューの軽減ができ、読み取り性能を向上させることができる。
【００２２】
請求項５の発明によれば、対物レンズのフォーカス方向への動作させたときに、フォーカス動作に連動して、対物レンズに所定のＤＣチルトを発生することができるので、光ディスクが半径方向の外周側で傾き（チルト）を持つ光ディスクのチルト補正を簡単に行うことが可能となる。
【００２３】
請求項６の発明によれば、外周側ワイヤと内周側ワイヤの有効長の長さを略等しくできるので、対物レンズのフォーカス方向への動作させたときに、対物レンズを光ディスクの面に対してバランスよく回転移動できるので、光ディスク面に対する対物レンズのチルト面の平行性を保ち易くでき、光ディスクのチルト補正を良好に行うことができる。
【発明を実施するための最良の形態】
【００２４】
以下、本発明の第１の実施形態に係る光ピックアップ装置について図面を参照して説明する。図１（ａ）は本実施形態における光ピックアップ装置１が搭載される光ディスクドライブ装置３０を示し、図１（ｂ）は光ピックアップ装置１と光ディスク１０との位置関係を示す。図２は本実施形態の光ピックアップ装置１を、図３は光ピックアップ装置１のレンズホルダ２の支持構造を示す。光ディスクドライブ装置３０は、装填された光ディスク１０をシャーシ３２に取り付けられたターンテーブル３１によって保持し回転させると共に、光ピックアップ装置１を光ディスクの半径方向（Ｘ軸方向、矢印は外周方向を示す）に摺動させ、光ピックアップ装置１は、２本の摺動軸３３によって軸支され、スクリューシャフト３４によって摺動駆動される。データの記録／再生は、光ピックアップ装置１により、光ディスク１０の信号記録面１０ａにフォーカスコイル７及びトラッキングコイル８を搭載するレンズホルダ２に保持された対物レンズ３からレーザ光を照射することにより成される。
【００２５】
光ピックアップ装置１は、レーザダイオードから出射されたレーザ光を所定の光路上に配置された各種光学部品を経由して光記録媒体の信号記録面上に導くことにより、情報の記録、再生を行う手段であり、レンズホルダ２と、サスペンションワイヤ（以下、ワイヤという）から成る外周側ワイヤ４ａ及び内周側ワイヤ４ｂと、サスペンションホルダ５と、磁気回路６と、を備えている。レンズホルダ２は光ディスク１０の信号記録面１０ａと対面した位置に対物レンズ３を保持し、外周側ワイヤ４ａと内周側ワイヤ４ｂは光ディスク１０と略平行な方向に伸びた左右（光ディスクの外周側、内周側）でそれぞれ対を成すと共に、フォーカスコイル７及びトラッキングコイル８への通電手段を兼ねており、それぞれ２本のワイヤ４１、４２と、ワイヤ４３、４４を有している。これら４ａ、４ｂの各一端は、レンズホルダ２に固定されている。サスペンションホルダ５はこれら外周側ワイヤ４ａ及び内周側ワイヤ４ｂの他端を支持することによりレンズホルダ２を片持ち支持する。磁気回路６は、レンズホルダ２をフォーカス方向及びトラッキング方向に駆動し、レンズホルダ２側に搭載されたフォーカスコイル７、トラッキングコイル８と、レンズホルダ２のＸ軸方向と直交するＹ軸方向の両側でベース９上に固定されたマグネット１１及びヨーク１２と、を備えている。また、サスペンションホルダ５もベース９上に固定され、ベース９は、光学部品等を収容したハウジング１３上に固定され、ハウジング１３は、光ディスクドライブ装置３０側に固定された摺動軸３３に沿って光ディスク１０の半径方向（Ｘ軸方向）へ進退可能に支持されている。フォーカスコイル７は、レンズホルダ２の内側の外周部位に沿ってその巻き中心を対物レンズ３の光軸と平行になるようにして固着され、フォーカス動作に連動してレンズホルダ２と共に光ディスク１０に向かってＸ軸、Ｙ軸と直交するＺ軸方向に移動すると共に、後述のようにＹ軸に関してＲ方向又はその逆方向に僅かに（例えば、±２０ｍｉｎ程度）回転する。また、トラッキングコイルは、レンズホルダ２のトラッキング方向（Ｙ軸方向）における外側の両面に固着されている。
【００２６】
外周側ワイヤ４ａ及び内周側ワイヤ４ｂによるレンズホルダ２の支持形態について説明する。これらワイヤ４ａ及びワイヤ４ｂにおけるワイヤ４１、４２及びワイヤ４３、４４は、各一端がレンズホルダ２の固定端２１、２２及び固定端２３、２４においてそれぞれ固定されている。固定端２３、２４は、内周側面２ｂの略中央にあり、固定端２１、２２は、外周側面２ａの略中央からサスペンションホルダ５に対して離れた位置にある。また、これらワイヤ４ａ及びワイヤ４ｂのワイヤ４１、４２及びワイヤ４３、４４の各他端は、サスペンションホルダ５のレンズホルダ対向面５６からサスペンションホルダ５を貫通して外側面５１上の各固定端５２、５３及び各固定端５４、５５に固定される。また、これら固定端５２〜５５は、外側面５１上に設けられた配線板に半田付けするなどの固定手段（図示なし）により、電気的に互いに絶縁されて固定される。
【００２７】
更に、外周側ワイヤ４ａ及び内周側ワイヤ４ｂの長さ関係を説明する。図４は、これらのワイヤ４ａ、４ｂの有効長を説明するための図２の概略平面を示す。図５（ａ）、（ｂ）、（ｃ）は、それぞれ外周部位で上方に面ブレがある状態Ａ、面ブレがない状態Ｂ、及び外周部位で下方に面ブレがある状態Ｃにおいて、フォーカス制御時のレンズホルダ２と対物レンズ３の移動状態を示す。図６は、状態Ａ、Ｂ及びＣにおける光ディスク１０と対物レンズ３との相対的位置関係を示し、各状態におけるディスクチルト角θ１（ｍｉｎ）、レンズチルト角θ２（ｍｉｎ）及びそれらの相対チルトを示す。なお、図３以下の各図においては、レンズホルダ２の形状を単純化して図示し、フォーカスコイル７、トラッキングコイル８は図示を省略している。
【００２８】
上記外周側ワイヤ４ａ及び内周側ワイヤ４ｂは、レンズホルダ２の外周側面２ａと内周側面２ｂに固定されるそれぞれのワイヤの有効長Ｌ１及びＬ２が互いに異なる。これらのワイヤ４ａ、ワイヤ４ｂにおいて、外周側ワイヤ４ａの有効長Ｌ１は、内周側ワイヤ４ｂの有効長Ｌ２よりも長くし、外周側ワイヤ４ａのワイヤ４１、４２のレンズホルダ２への固定端２１、２２は、サスペンションホルダ５から遠い位置とされ、内周側ワイヤ４ｂのワイヤ４３、４４のレンズホルダ２への固定端２３、２４は、サスペンションホルダ５から近い位置とされている。
【００２９】
ここで、ワイヤの有効長とは、実質的に外周側ワイヤ４ａ及び内周側ワイヤ４ｂがレンズホルダ２とサスペンションホルダ５で固定されている固定端間のワイヤの長さを言い、これらワイヤ４a、４ｂにおける弾性変形動作が可能な部位の長さとする。従って、サスペンションホルダ５における実質的固定端は、ワイヤ４a、４ｂがサスペンションホルダ５に入る内側面５６に存在するので、図４に示すように、外周側ワイヤ４ａの有効長Ｌ１は、サスペンションホルダ５の内側面５６と固定端２１、２２間の間隔となり、内周側ワイヤ４ｂの有効長Ｌ２は、内側面５６と固定端２３、２４との間隔となる。
【００３０】
上記のように構成された光ピックアップ装置１において、外周側にチルトを持つ光ディスク１０を再生又は記録するときの対物レンズ３の動きについて説明する。本実施形態の光ピックアップ装置１は、外周側ワイヤ４ａと内周側ワイヤ４ｂの各有効長を不均一にして、レンズホルダ２を支持しているので、これら外周側ワイヤ４ａと内周側ワイヤ４ｂとの間に、対物レンズ３のフォーカス方向の移動力に対する長さの変化の感度差が発生する。これにより、対物レンズ３にＤＣチルトを付加することができるようになる。なお、ここで言うＤＣチルトとは、フォーカス方向に対物レンズ３を動作させたときに対物レンズ３に発生するチルト量であり、ここでは、光ディスク１０の半径方向のチルトとする。
【００３１】
図５（ｂ）に示すように、光ディスク１０に面ブレがない状態Ｂにおいては、光ディスク１０の信号記録面１０ａと対物レンズ３の中心軸とは略垂直に直交するので光ビームのフォーカス時においては、ビームスポットは略円形を成し、ジッタの少ない良好な画像を記録／再生することができる。このとき、レンズホルダ２の高さ方向（紙面上方）の中間における略水平をなす中間ラインＳと光ディスク１０とは略平行になっている。一方、図５（ａ）に示す面ブレ状態Ａにおいては、光ディスク１０の外周側が高く（紙面で上方）なる面ブレがあり、対物レンズ３はフォーカスコイル７により光ディスク１０の信号記録面１０ａに近づくように中間ラインＳから上方に移動する。このとき、外周側ワイヤ４ａの有効長Ｌ１が内周側ワイヤ４ｂの有効長Ｌ２より長いので、対物レンズ３の上昇に連れて、有効長Ｌ１は対物レンズ３の上方への移動力により長さが長い分、内周側の有効長Ｌ２に比べて弾性変形量が大きくなる。このため、レンズホルダ２が内周側に比べて外周側でより大きく上昇するようになり、Ｙ軸に関してＲ方向に僅かに右回転した傾きを生じる。これにより、フォーカス時に予め決まった方向にＤＣチルトを発生させるように、有効長Ｌ１、Ｌ２を好適に選ぶことにより、所定のチルトを形成して、対物レンズ３のＤＣチルトの角度θ１を、光ディスク１０のチルトの角度θ２に略等しくなるように設定することができる。
【００３２】
他方、図５（ｃ）に示す状態Ｃにおいては、光ディスク１０に面ブレが外周側に低く（紙面で下方）なると、対物レンズ３はフォーカスコイル７により光ディスク１０に面に近づくように中間ラインＳから下方に移動する。このとき、前記状態Ａと同様に、外周側ワイヤ４ａの有効長Ｌ１が内周側ワイヤ４ｂの有効長Ｌ２より長いので、対物レンズ３の上昇に連れて、レンズホルダ２の内周側に比べて外周側でより大きく下降するようになり、Ｙ軸に関して左方向に回転した傾きを生じる。これにより、ＤＣチルトを前記状態Ａとは反対方向に発生することができ、対物レンズ３のＤＣチルトの角度θ１を、光ディスク１０のチルトの角度θ２に略等しくなるように設定することができる。
【００３３】
この結果、状態Ａ及び状態Ｃのいずれの場合も、光ディスク１０の面と対物レンズ３間のチルト差をほぼ無くすことができ、対物レンズ３の光軸を光ディスク１０の信号記録面１０aに略直角に合わせることができる。従って、面ブレの光ディスクの再生時に発生するスキューを容易に軽減でき、ジッタを少なくして光ディスク１０からの読み取り性能を向上することができ、良好な画像を記録／再生することができる。
【００３４】
下記表２に、図６に示した状態Ａ、Ｂ及びＣにおけるディスクチルト（θ１）と対物レンズのレンズチルト（θ２）と、このレンズチルトにより補正される相対チルトを示す。ディスクチルトの角度θ１は、状態Ｃと状態Ａにおいて、±２０ｍｉｎ（分）（規定による最大値）であるとした場合、これに対応して、対物レンズ３のレンズチルトの角度θ２を状態Ｃと状態Ａにおいて同様に、それぞれ±２０ｍｉｎ（分）とすると、ディスクチルトとレンズチルトとの相対チルトの角度はいずれも０ｍｉｎとすることができ、ディスクチルトを補正することができる。
【００３５】
【表２】
2008084431.tif 000004
【００３６】
このように本実施形態の光ピックアップ装置１によれば、外周側ワイヤ４ａの有効長Ｌ１を内周側ワイヤ４ｂの有効長Ｌ２より長くして両者間に長さの差を設けたことにより、対物レンズ３のフォーカス方向の移動に連動して、対物レンズ３を光ディスク１０の半径方向（Ｙ軸方向）に垂直なＹ軸方向の周りで左右に回転させることができる。これにより、対物レンズ３に所定のＤＣチルトを外周側で大きく発生させて、このＤＣチルトによりディスクチルトを自動的に補正することができる。また、固定端２１、２２を外周側面２ａの略中央からサスペンションホルダ５から離れる方向に配置し、固定端２３、２４を内周側面２ｂの略中央に配置しことにより、フォーカス移動に対する対物レンズ３のチルト回転感度を大きくすると共に、対物レンズ３のチルト回転をできるだけ、半径方向を通り光ディスク１０面に垂直な平面内で行われるようにでき、チルト補正の感度と精度を高めることができる。このように、光ディスクに傾きがあった場合でも、簡単な構成で対物レンズからの光を自動的に光ディスクの信号記録面に略垂直に照射することができ、スキューを軽減でき、ジッタの少なくして読み取り性能を向上でき、良好に画像を記録／再生することが可能となる。なお、本実施形態は、光ディスク１０の面ブレの周期がチルトの共振周波数（ｆ０）以下の場合（ＤＶＤ記録及び／又は再生装置を４倍速未満で使用時）において、特に有効である。
【００３７】
また、光ピックアップ装置では、発生するスキューの方向は、通常ほぼ一定方向を示すので、予め設計段階でスキューの方向を把握することにより、最適にＤＣチルトを発生させ、精度良いチルト補正を行うことができる。
【００３８】
次に、本発明の第２の実施形態に係る光ピックアップ装置について図７、図８を参照して説明する。本実施形態の光ピックアップ装置１は、光ディスク１０の半径方向において、レンズホルダ２の外周側面２ａと内周側面２ｂにそれぞれ固定される有効長Ｌ１．Ｌ２が互いに略等しい外周側ワイヤ４ａと内周側ワイヤ４ｂとを有し、外周側ワイヤ４ａのレンズホルダ２への固定端２１、２２と内周側ワイヤ４ｂのレンズホルダ２への固定端２３、２４は、サスペンションホルダ５から略等距離の位置にあり、外周側ワイヤ４ａと内周側ワイヤ４ｂとを異なる材質で形成すると共に、外周側ワイヤ４ａの硬さを内周側ワイヤ４ｂのそれより軟らかくしたものである。
【００３９】
上記のように構成された光ピックアップ装置１において、有効長Ｌ１と有効長Ｌ２を略等しくし、外周側ワイヤ４ａが内周側ワイヤ４ｂより軟らかいので、対物レンズ３をフォーカス方向に動作させたときに、有効長Ｌ１は伸び易く、有効長Ｌ２は伸び難い。このため、前記実施形態と同様に、光ディスク１０のチルトに対応して、対物レンズをフォーカス方向に動作させたときに、対物レンズ３が上昇する場合又は下降する場合のいずれにおいても、レンズホルダ２の外周側が内周側に比べて大きく変動するようになる。これにより、対物レンズ３は、光ディスク１０のチルトに合わせて、Ｙ軸に関して左右のいずれにも回転でき、対物レンズ３のＤＣチルトを光ディスク１０のディスクチルトと同じ方向に発生させることができる。従って、有効長Ｌ１、Ｌ２を好適に選ぶことにより、所定のチルトを形成し、前述の図５、図６に示すように、対物レンズ３のＤＣチルトと光ディスク１０のチルトを略等しくして相対チルトが略ゼロになるようにでき、光ディスク１０の面と対物レンズ３の中心軸を略直交させることができる。
【００４０】
上記実施形態の光ピックアップ装置１によれば、外周側ワイヤ４ａを内周側ワイヤ４ｂより軟らかくすることにより、ＤＣチルトを発生できるのできるので、ワイヤの材質の変更だけでサイズの変更を伴わない簡単な構成で光ディスク１０のチルト補正を自動的にすることができる。従って、従来の装置においても、簡単に適用することが可能となり汎用性は大きい。また、有効長Ｌ１と有効長Ｌ２を略同じ長さとしたことにより、バランス良く対物レンズ３をチルト回転させることが可能となり、光ディスク面に対する対物レンズのチルト面の平行性を保ち易くでき、スキューを軽減し、ジッタを低減して読み取り性能を向上することが可能となる。
【００４１】
なお、本発明は各種の実施形態により実現されるが、これらに限られることなく、発明の趣旨を逸脱しない範囲において、任意に変更することができる。例えば、外周側ワイヤと内周側ワイヤの長さが異なるようにすると共に、材質も異なるようにすることにより、ＤＣチルトの感度をさらに向上することができる。
【図面の簡単な説明】
【００４２】
【図１】（ａ）は本発明の第１の実施形態に係る光ピックアップ装置を搭載する光ディスクドライブ装置の斜視図、（ｂ）は同装置における光ピックアップ装置と光ディスクの配置関係を説明する図。
【図２】本発明の第１の実施形態に係る光ピックアップ装置の斜視図。
【図３】上記光ピックアップ装置の発明の原理を説明する概略構成図。
【図４】上記光ピックアップ装置の概略平面図。
【図５】上記光ピックアップ装置の対物レンズのＤＣチルトを説明する図。
【図６】上記光ピックアップ装置の対物レンズと光ディスクと対物レンズの相対チルトを説明する図。
【図７】本発明の第２の実施形態に係る光ピックアップ装置の概略構成図。
【図８】上記光ピックアップ装置の概略平面図。
【図９】（ａ）は従来の光ピックアップ装置における光ディスクと対物レンズとの相対チルトを説明する図、（ｂ）は（ａ）における相対チルトのバラツキを説明する図。
【符号の説明】
【００４３】
１  光ピックアップ装置
２  レンズホルダ
２ａ  外周側面
２ｂ  内周側面
３  対物レンズ
４ａ  外周側ワイヤ（サスペンションワイヤ）
４ｂ  内周側ワイヤ（サスペンションワイヤ）
５  サスペンションホルダ
６  磁気回路
１０  光ディスク
１０ａ  信号記録面
２１、２２、２３、２４  固定端
Ｌ１、Ｌ２  有効長
【図１】
2008084431.tif 000005
【図２】
2008084431.tif 000006
【図３】
2008084431.tif 000007
【図４】
2008084431.tif 000008
【図５】
2008084431.tif 000009
【図６】
2008084431.tif 000010
【図７】
2008084431.tif 000011
【図８】
2008084431.tif 000012
【図９】
2008084431.tif 000013